(57)【要約】【課題】無線ＬＡＮ接続と有線ＬＡＮ接続とを同時に可能としながら、情報コンセントに取り付けた状態で嵩張らないようにする。【解決手段】ＷＡＮ側と接続する第１接続部１７と、商用電源線を接続する電源接続部と、第１接続部１７を通す情報データを、外部の情報端末装置と送受信可能な無線送受信部１９と、電源接続部からの交流電気を直流電気に変換して無線送受信部１９に供給するコンバータ２０と、ＬＡＮ側の通信ケーブルを接続する第２接続部２１とを、ユニット本体１０に一体に設け、ユニット本体１０は、設置対象部に設けられている情報コンセント２に埋設可能に構成してあると共に、情報コンセント２に埋設した状態で、第１接続部１７とコンバータ２０とが、情報コンセント２の表面板２Ｂの面方向に隣合うように構成してある。【選択図】図２
2013157738.tif 000002
【特許請求の範囲】
【請求項１】
ＷＡＮ側からの通信ケーブルを接続する第１接続部と、商用電源線を接続する電源接続部と、前記第１接続部を通す情報データを、前記電源接続部からの電気を使用して無線で外部の情報端末装置と送受信可能な無線送受信部と、前記電源接続部からの交流電気を直流電気に変換して前記無線送受信部に供給するコンバータと、ＬＡＮ側の通信ケーブルを接続して、前記第１接続部に接続したＷＡＮとの情報データの送受信を可能とする第２接続部とを、ユニット本体に一体に設け、
前記ユニット本体は、設置対象部に設けられている情報コンセントに埋設可能に構成してあると共に、前記情報コンセントに埋設した状態で、前記第１接続部と前記コンバータとが、前記情報コンセントの表面板の面方向に隣合うように構成してある情報通信ユニット。
【請求項２】
前記無線送受信部は、前記コンバータより表側に配置した電子基板に組み込んであり、前記電子基板の裏側に前記第１接続部が設けてあり、前記電子基板の表側に前記第２接続部が設けてある請求項１に記載の情報通信ユニット。
【請求項３】
前記ユニット本体は、壁からなる前記設置対象部に設置される前記情報コンセントに埋設した状態で、前記第１接続部と前記コンバータとが、上下方向に隣合うように構成してある請求項１又は２に記載の情報通信ユニット。
【請求項４】
前記第１接続部は、前記通信ケーブルのコネクタを差し込む接続開口部を備えて構成してあり、前記接続開口部への前記コネクタの差し込み方向は、前記表面板に対して傾斜する方向に設定してある請求項１〜３の何れか一項に記載の情報通信ユニット。
【請求項５】
前記接続開口部は、前記ユニット本体の裏側で且つ外周側に開口する状態に配置してあり、前記コネクタの差し込み方向は、前記ユニット本体の中央側に向かって設定してある請求項４に記載の情報通信ユニット。
【請求項６】
前記第２接続部は、前記ユニット本体を前記情報コンセントに埋設した状態で、少なくとも一部が前記情報コンセントの表面板より突出する状態に構成してある請求項１〜５の何れか一項に記載の情報通信ユニット。
【発明の詳細な説明】
【技術分野】
【０００１】
本発明は、ＷＡＮ側からの通信ケーブルを接続する第１接続部と、商用電源線を接続する電源接続部と、前記第１接続部を通す情報データを、前記電源接続部からの電気を使用して無線で外部の情報端末装置と送受信可能な無線送受信部と、前記電源接続部からの交流電気を直流電気に変換して前記無線送受信部に供給するコンバータとを備えた情報通信ユニットに関する。
【背景技術】
【０００２】
従来、複数の部屋に亘る通信ネットワークを構築する場合には、簡単に導入できるメリットから、ＷＡＮから受けた通信データを、無線ルータを介して無線で各部屋のレシーバに送受信できるようにする無線ＬＡＮを採用することがあった。
しかし、無線ＬＡＮの場合、無線ルータとレシーバとの間に、例えば、電子レンジや、無線電話の送受信器や、壁等の無線通信に障害を及ぼすものが存在していると、通信障害を発生する虞があり、複数の部屋の一部では無線ルータからの通信データを受信できないことがあった。また、無線通信の場合、有線の通信に比べて通信速度が遅いから、大容量のデータを高速で送受信するのに適さなかった。
【０００３】
一方、宅内の該当する各部屋に亘って通信ケーブルを配設して送受信を行う有線ＬＡＮによれば、このような問題点は解決できる。
近年では、有線ＬＡＮの具体的な構成は、ＷＡＮからの通信データを受ける住宅情報制御盤（ＬＡＮの他、電力やＣＡＴＶ等の情報をも一括して管理する制御盤）を設けると共に、該当する各部屋には、壁等の設置対象部に情報コンセント（通信ケーブルのコネクタを接続するＬＡＮ接続部や、電源コンセントや、同軸ケーブル接続口や、電話線のコネクタ接続部等を表面板に臨ませて配置したコンセント）を取り付け、前記住宅情報制御盤と情報コンセントのＬＡＮ接続部とに亘って通信ケーブルを接続する形態がよく採用されるようになっている。
【０００４】
また、情報コンセントを設置した部屋内でのＬＡＮの使用にあたっては、情報コンセントのコネクタ接続部に通信ケーブルを接続して通信を行う有線接続が一般的であるが、スマートフォン等の普及により、無線接続による使用も要求されるようになっている。
そこで、情報コンセントに、無線ＬＡＮアクセスポイント装置を接続して、その無線ＬＡＮアクセスポイント装置を介して無線接続を行う方法もある。
無線ＬＡＮアクセスポイント装置としては、本体と、情報コンセントの電源コンセントに差し込んで本体に直流電気を供給する電源アダプタ（交流電気を直流電気に変換して前記無線送受信部に供給する）と、情報コンセントのＬＡＮ接続部と本体とを接続する通信ケーブルとで構成されたものがある。しかし、無線ＬＡＮアクセスポイント装置は、電源アダプタのコードや、通信ケーブルの接続の手間が必要な上、情報コンセントとは別の位置に本体が位置すると共に、上述のコードや通信ケーブルが接続されているから、それらの設置スペースを確保する必要があり、部屋内での歩行等の障害になり易い問題がある。
【０００５】
以上の問題点を解消するものとして、情報コンセントの表側に設けられているコネクタ接続部と、電源コンセントとに、一体の情報通信ユニットを差し込むことで、該当する部屋での通信環境を、有線ＬＡＮから、無線ＬＡＮに変更してデータ送受信を行えるようにするものも考えられている（例えば、特許文献１参照）。
この情報通信ユニットは、ユニット本体の裏面に、情報コンセントの電源コンセントへの差込突部（電源接続部）と、情報コンセントのＬＡＮ接続部への接続コネクタ（第１接続部）とを突出させて設け、本体内に、前記電源接続部からの電気を使用して無線で外部の情報端末装置と送受信可能な無線送受信部と、前記電源接続部からの交流電気を直流電気に変換して前記無線送受信部に供給するコンバータとを備えた構成となっている。
【先行技術文献】
【特許文献】
【０００６】
【特許文献１】特開２００４−１５７３１号公報（段落番号〔００８５〕、図１９，２１）
【発明の概要】
【発明が解決しようとする課題】
【０００７】
上述した従来の情報通信ユニットによれば、情報コンセントの前面に差し込んだ状態で使用するものであるから、情報コンセントの前面に本体部分が大きく突出したままになり、美観性に欠けると共に、近傍の歩行時に情報通信ユニットが引っ掛かり易いから、部屋内での歩行等の障害になる問題がある。
更には、情報コンセントのＬＡＮ接続部は、当該情報通信ユニットが接続されて塞がった状態となるから、該当する部屋では、当該情報通信ユニットによる無線ＬＡＮ接続と同時に有線ＬＡＮ接続を行うことができないことも問題となる。
【０００８】
従って、本発明の目的は、上記問題点を解消し、無線ＬＡＮ接続と有線ＬＡＮ接続とを同時に可能としながら、情報コンセントに取り付けた状態で嵩張らない情報通信ユニットを提供するところにある。
【課題を解決するための手段】
【０００９】
本発明の第１の特徴構成は、ＷＡＮ側からの通信ケーブルを接続する第１接続部と、商用電源線を接続する電源接続部と、前記第１接続部を通す情報データを、前記電源接続部からの電気を使用して無線で外部の情報端末装置と送受信可能な無線送受信部と、前記電源接続部からの交流電気を直流電気に変換して前記無線送受信部に供給するコンバータと、ＬＡＮ側の通信ケーブルを接続して、前記第１接続部に接続したＷＡＮとの情報データの送受信を可能とする第２接続部とを、ユニット本体に一体に設け、前記ユニット本体は、設置対象部に設けられている情報コンセントに埋設可能に構成してあると共に、前記情報コンセントに埋設した状態で、前記第１接続部と前記コンバータとが、前記情報コンセントの表面板の面方向に隣合うように構成してあるところにある。
【００１０】
本発明の第１の特徴構成によれば、第１接続部にＷＡＮ側からの通信ケーブルを接続すると共に、電源接続部に商用電源を接続すれば、コンバータによって変換した直流電気によって無線送信受信部が機能して、外部の情報端末装置と無線ＬＡＮ接続を確立することができる。更には、第２接続部を使用した有線ＬＡＮ接続も、同時に実施できる。
また、ユニット本体は、情報コンセントに埋設可能に構成してあるから、当該情報通信ユニットを、情報コンセント内に納めた状態に取り付けることができるようになる。
従って、従来のように、情報コンセントの前面に情報通信ユニットが大きく突出することによって嵩張る問題を解消でき、情報コンセントまわりの良好な美観性の維持を図ることができる。
また、情報コンセントの近傍の歩行時に情報通信ユニットが引っ掛かる等の障害も防止できる。
【００１１】
因みに、前記情報コンセントに埋設した状態で、前記第１接続部と前記コンバータとが、前記情報コンセントの表面板の面方向に隣合うようにユニット本体を構成してあることで、例えば、第１接続部とコンバータとをコンセント深さ方向（表面板の面の対向方向）に並べて構成してあるものに比べて、ユニット本体の前記コンセント深さ方向の寸法を小さくすることができ、全体として薄型に形成することができる。
通常、情報コンセントに埋設されるユニットは、表裏一対の壁パネル間の狭小の隙間に設置されていることが多いから、その情報コンセントに埋設されるユニット本体も、特に前記コンセント深さ方向の寸法を小さくする必要があり、この課題を解決する上で、上述の薄型に形成できる本発明の技術が寄与している。
【００１２】
尚、ＬＡＮにおける通信速度の高速化が必要とされる環境下においては、前記無線送信受信部での送受信容量の増大に伴って、前記コンバータの容量も大きくする必要があり、結果的には、大型のコンバータが必要となる。従って、ユニット本体のコンパクト化を叶えることが重要課題となり、特に場所をとりやすいコンバータと第１接続部とを、前記表面板の面方向に隣合うように配置することで、全体とした薄型化を図ると共に、情報コンセントの正面視での設置範囲においても極小空間の隅々まで無駄なく有効に利用した小型化を図れるようになり、情報コンセントへの当該情報通信ユニットの埋設が実現できるようになった。
【００１３】
本発明の第２の特徴構成は、前記無線送受信部は、前記コンバータより表側に配置した電子基板に組み込んであり、前記電子基板の裏側に前記第１接続部が設けてあり、前記電子基板の表側に前記第２接続部が設けてあるところにある。
【００１４】
本発明の第２の特徴構成によれば、無線送受信部を電子基板に組み込むことで、パーツとしての薄型化を図れるようになる。
また、情報通信ユニットの裏側に第１接続部を設けてあることで、ユニット本体の裏側に第１接続部を臨ませることができ、情報コンセント内でのＷＡＮ側からの通信ケーブルの接続を、迅速に、且つ、表側に通信ケーブルが見えないように行えるようになる。
また、情報通信ユニットの表側に第２接続部を設けてあることで、ユニット本体の表側に第２接続部を臨ませることができ、外部からの第２接続部への通信ケーブルの接続を、より簡単に迅速に行えるようになる。
【００１５】
本発明の第３の特徴構成は、前記ユニット本体は、壁からなる前記設置対象部に設置される前記情報コンセントに埋設した状態で、前記第１接続部と前記コンバータとが、上下方向に隣合うように構成してあるところにある。
【００１６】
情報コンセントにおける各ユニット（例えば、電源コンセントユニットや、同軸ケーブル接続ユニットや、電話線のコネクタ接続ユニット等）の埋込部分の形状は、それぞれ、正面視で縦長形状に構成してあるのが一般的である。
本発明の第３の特徴構成によれば、ユニット本体は、壁の情報コンセントに埋設した状態で、第１接続部とコンバータとが、上下方向に隣合うように構成してあるから、ユニット本体の形状を、縦長に形成できる。その結果、情報コンセントの縦長形状の各ユニット埋設部分の形状に合わせた外形にすることができ、何れのユニット埋設部分にも自由に着脱することができるようになる。
【００１７】
本発明の第４の特徴構成は、前記第１接続部は、前記通信ケーブルのコネクタを差し込む接続開口部を備えて構成してあり、前記接続開口部への前記コネクタの差し込み方向は、前記表面板に対して傾斜する方向に設定してあるところにある。
【００１８】
本発明の第４の特徴構成によれば、前記第１接続部は、前記通信ケーブルのコネクタを差し込む接続開口部を備えて構成してあるから、ＷＡＮ側からの通信ケーブルを第１接続部に接続する際、通信ケーブルの先端に取り付けたコネクタを接続開口部に差し込むだけの簡単な操作によって接続することが可能となる。
また、情報コンセントの裏側空間は、例えば、コンセントボックスを設ける場合は、コンセントボックスの裏板部や、コンセントボックスの周壁部によって仕切られた狭小空間となるが、前記接続開口部への前記コネクタの差し込み方向は、前記表面板に対して傾斜する方向に設定してあるから、例えば、コンセントボックスの裏板部が前記表面板と平行（又はほぼ平行）に配置されている場合には、前記差し込み方向はコンセントボックスの裏板部に対しても傾斜することになり、接続開口部に至る前記差し込み方向手前側の空間（コンセントボックスの裏板部（又は周壁部）と接続開口部との間の空間）を、前記差し込み方向に対向する部分どうしが平行ではない斜め空間として確保することができる。
従って、前記裏板部と当該ユニット本体との隙間の寸法が限られた値となっている設置環境下では、前記差し込み方向が裏板部に垂直である場合に比べて、裏板部に傾斜させてある方が、前記差し込み方向に沿う直線上での対向部間隔寸法を長く確保でき、実質的には、前記隙間を広く使用することができる。従って、前記差し込み方向手前側の空間に、余裕をもって通信ケーブルの延出部（コネクタから延出するケーブル部分）を納めることができるようになる。
ここでは、接続開口部がコンセントボックスの裏板部側に開口している場合を例に挙げて説明したが、例えば、接続開口部がコンセントボックスの周壁部側に開口してる場合も同様の作用がある。
また、上述した通信ケーブルの延出部を、前記コンセントボックスの裏板部（又は周壁部）、又は、裏側の壁パネルに対して傾斜した角度に納め得ることで、第１接続部への接続のための通信ケーブルの屈曲角度（つまり、情報コンセント裏側空間へのケーブル引き込み方向に対する通信ケーブルの第１接続部側部位での屈曲角度）を緩やかにすることが可能となり、通信ケーブルが急な角度で屈曲して破断したり接続障害をおこすことも防止できるようになる。
その結果、情報コンセントの裏側の狭小空間であっても、通信ケーブルの接続障害の生じにくい良好な状態に当該情報通信ユニットを設置することができるようになる。
【００１９】
本発明の第５の特徴構成は、前記接続開口部は、前記ユニット本体の裏側で且つ外周側に開口する状態に配置してあり、前記コネクタの差し込み方向は、前記ユニット本体の中央側に向かって設定してあるところにある。
【００２０】
本発明の第５の特徴構成によれば、接続開口部にコネクタを差し込んだ通信ケーブルの前記延出部を、情報コンセントの裏側の極小空間における入り隅部に位置させることができ、前記延出部の曲がりを緩やかにできることに加えて、情報コンセント内の入り隅空間を無駄なく、且つ、有効に利用した状態に当該情報通信ユニットを埋設することが可能となる。
従って、前述のような通信速度の高速化に伴うコンバータの大型化が図られた情報通信ユニットであっても、情報コンセントの限られた空間内に納まるように埋設することができる。
【００２１】
本発明の第６の特徴構成は、前記第２接続部は、前記ユニット本体を前記情報コンセントに埋設した状態で、少なくとも一部が前記情報コンセントの表面板より突出する状態に構成してあるところにある。
【００２２】
本発明の第６の特徴構成によれば、第２接続部が、その少なくとも一部が前記情報コンセントの表面板より突出する状態に構成してあるから、他の接続部が情報コンセントに平坦な配置で設けてある場合に、それらとの差別化を、形状の差として認識することができ、差込口の誤認を防止し易い。更には、第２接続部が突出しているから、コネクタ等のＬＡＮ側通信ケーブルの端子を、第２接続部に接続する作業を容易に行える。
また、突出させることで、情報コンセントの裏側へ埋没する当該情報通信ユニットの埋没容積をより少なくでき、コンセントボックス内に余裕を確保することができる。
更には、突出させていることで、例えば、第２接続部周りを補強する構造を、その突出部分に形成することができる。従って、限られた情報コンセント内の空間容量を減少させることなく、第２接続部まわりの補強を叶えることができる。
その結果、コネクタに作用する外力（例えば、第２接続部への抜き差し時や、接続状態で通信ケーブルから加わる引張力等によって作用する外力）に対しての耐力が向上し、第２接続部の変形や破損を防止し易くなる。
【図面の簡単な説明】
【００２３】
【図１】情報コンセントの正面図
【図２】情報コンセントに通信ユニットを設置してある状況を示す断面図
【図３】通信ユニットの分解斜視図
【図４】情報コンセントを裏側から見た説明図
【図５】別実施形態の通信ユニットの斜視図
【発明を実施するための形態】
【００２４】
以下に本発明の実施の形態を図面に基づいて説明する。
【００２５】
図１は、本発明の情報通信ユニットの一実施形態品（以後、単に通信ユニットＹという）を、壁（設置対象部の一例）１に設置した情報コンセント２に埋設してある状態を示している。
【００２６】
情報コンセント２は、壁１に形成した矩形形状の設置用穴３の裏面側に配置したコンセントボックス２Ａと、壁１の前面に設置した表面板２Ｂとの間に、穴３周囲の壁部分１ａが位置する状態で固定されている。
当該実施形態で説明する情報コンセント２には、４つのユニットが設置されている。
図１、図４に示すように、正面視における左端には、上下に２つの差込口４ａを備えた電源コンセントユニット４が設けられ、正面視における右端には、上側に電話用のモジュラージャックを接続する電話接続ユニット５が、下側にテレビアンテナ用の同軸ケーブルを接続する同軸ケーブル接続ユニット６が、それぞれ設けられている。
正面視における中央部に、前記通信ユニットＹが設けられている。
それぞれのユニット４，５，６，Ｙは、取付フレーム７を介して、前記コンセントボックス２Ａ、表面板２Ｂと一体に取り付けられている。
【００２７】
また、コンセントボックス２Ａは、矩形箱形状に構成してあり、図２に示すように、箱の開口を表面側に向けた状態に設置されている。箱の周壁部には、図には示さないが、前記壁１の裏側空間に配線された電源ケーブルや、電話ケーブルや、同軸ケーブルや、通信ケーブル８の端部を挿入できる挿入口ｈが形成してあり、その挿入口ｈから、コンセントボックス２Ａ内に前記各ケーブルが導入されるように構成されている。
因みに、電源コンセントユニット４には電源ケーブル（不図示）が、電話接続ユニット５には電話ケーブル（不図示）が、同軸ケーブル接続ユニット６には同軸ケーブル（不図示）が、通信ユニットＹには通信ケーブル８がそれぞれ接続される。
通信ケーブル８は、ＷＡＮにつながるもので、先端部には、接続用のコネクタ８ａが取り付けられており、後述する通信ユニットＹの第１接続部１７に、このコネクタ８ａを差し込むことで接続ができるように構成されている。
【００２８】
表面板２Ｂは、壁の穴３よりも一回り大きな矩形形状に構成してあり、前記各ユニット４，５，６，Ｙに対応した窓部９がそれぞれ形成されている。この窓部９に、各ユニット４，５，６，Ｙの表部分が露出する（図１参照）。
【００２９】
次に、通信ユニットＹについて説明する。
通信ユニットＹは、コンセントボックス２Ａ内の各ユニットにそれぞれ割り当てられる設置空間が、縦長空間であるのに対応させて、ユニット本体１０の外形を縦長形状に構成してある（図１、図４参照）。
【００３０】
ユニット本体１０は、図２、図３に示すように、情報コンセント２の表面視における奥行き方向（表裏方向）に２分割に形成された合成樹脂製のケーシング１１を備え、そのケーシング１１の中に、各部品を納めて一体に構成されている。
【００３１】
ケーシング１１は、互いに着脱可能な表側分割ケーシング１１Ａと、裏側分割ケーシング１１Ｂとを備えて構成してある。
表側分割ケーシング１１Ａと裏側分割ケーシング１１Ｂとの取付部分は、裏側分割ケーシング１１Ｂの開口縁部に、表側分割ケーシング１１Ａの開口縁部が内嵌することで嵌り合う構造に形成してある。両者の外れ止めは、嵌合面の一方の面に嵌合穴１１ａを形成すると共に、嵌合面の他方の面に、前記嵌合穴１１ａに係合する係合突起１１ｂを形成し、これら嵌合穴１１ａと係合突起１１ｂとの係合によって実施できるように構成されている。
【００３２】
表側分割ケーシング１１Ａは、情報コンセント２の表側を向く面における幅方向の中間部が、情報コンセント２の表側に膨出する形状の膨出部１２として形成してある。また、情報コンセント２の表側を向く面における幅方向の両端部は、前記取付フレーム７の裏面部に沿うような偏平形状の偏平部１３として形成してある。
【００３３】
前記膨出部１２は、当該ユニット本体１０を情報コンセント２に取り付けた状態で、前記表面板２Ｂの窓部９を通して表面側に突出するように寸法設定されている。
また、膨出部１２の表面は、下端側の平面部が上端側の平面部より前方に位置していると共に、互いの平面部間は両平面部に亘る緩やかな曲面部で構成されている。
下端側の平面部には、後述する第２接続部２１が配置されており、該当部分には、開閉自在なスライド扉１２ａが設けてある。
また、上端側の平面部には、図１に示すように、通信ユニットＹのオン状態で点灯するインジケーター１２ｂや、後述する無線送受信部１９のアクセス状態を点灯によって表示するインジケーター１２ｃや、通信ユニットＹのリセット操作を行うための操作孔１２ｄが設けられている。
図２に示すように、表側分割ケーシング１１Ａに膨出部１２を設けて、表面板２Ｂより前方側に第２接続部２１が突出する状態に形成してあることで、膨出部１２を設けずに平面形状に構成するものに比べて、ケーシング１１としての断面係数の増加を図ることができ、第２接続部２１周囲での通信ユニットＹの強度アップを実現することができる。
【００３４】
また、前記偏平部１３には、図３に示すように、前記取付フレーム７の係合突起（不図示）を係合させて、通信ユニットＹを取付フレーム７に取り付けるための係合凹部１３ａが、表側に形成してある。
また、偏平部１３には、複数のネジ挿通部１３ｂが形成してあり、後述する電子基板２２を表側分割ケーシング１１Ａの裏側に取り付けるネジ部材Ｍを、ネジ挿通部１３ｂに取り付けるように構成してある。
【００３５】
裏側分割ケーシング１１Ｂは、情報コンセント２に設置した状態で前記表面板２Ｂに平行な姿勢に形成されている矩形形状の後壁部１４と、後壁部の各辺から前方側に連設された周壁部１５とを備えて構成してある。
後壁部１４には、ケーシング１１内に設けられている電源接続部１８（後述）に通じる電源ケーブル挿通孔１４ａが２つ設けられている。
周壁部１５は、両側壁部１５Ａと、下壁部１５Ｂと、上壁部１５Ｃとから構成されており、上壁部１５Ｃに関しては、後壁部１４から前方に離れるほど上方に位置する傾斜壁部１５ａと、前記下壁部１５Ｂと平行な平壁部１５ｂとで構成されている。
即ち、図２に示すように、通信ユニットＹの側面視において、傾斜壁部１５ａが、ユニット本体１０の裏側の上隅部分を斜めに切り欠いた形状となっている。
この傾斜壁部１５ａの裏側には、前記第１接続部１７が配置されており、コネクタ８ａを挿通可能な窓部１６が、前記傾斜壁部１５ａに形成されている。
【００３６】
前記ケーシング１１の内部には、ＷＡＮ側からの通信ケーブル８を接続する第１接続部１７と、商用電源線を接続する電源接続部１８と、第１接続部１７を通す情報データを、電源接続部１８からの電気を使用して無線で外部の情報端末装置（不図示）と送受信可能な無線送受信部１９と、電源接続部１８からの交流電気を直流電気に変換して無線送受信部１９に供給するコンバータ２０と、ＬＡＮ側の通信ケーブル（不図示）を接続して、第１接続部１７に接続したＷＡＮとの情報データの送受信を可能とする第２接続部２１とを設けてある。
【００３７】
第１接続部１７と第２接続部２１とは、無線送受信部１９を組み込んだ電子基板２２に一体に固着してあり、電子基板２２は、表側分割ケーシング１１Ａのネジ挿通部１３ｂに挿通したネジ部材Ｍで、表側分割ケーシング１１Ａに一体に取り付けてある。
電源接続部１８とコンバータ２０とは、裏側分割ケーシング１１Ｂの後壁部１４にそれぞれネジ固定してある。
従って、表側分割ケーシング１１Ａと裏側分割ケーシング１１Ｂとを取り付けることで、一体の通信ユニットＹを構成することができる。
【００３８】
因みに、情報コンセント２に埋設した状態の通信ユニットＹの内部では、前記第１接続部１７と前記コンバータ２０とは、図２に示すように、情報コンセント２の表面板２Ｂの面方向に隣合う配置となるように位置決めされている。更に詳しくは、第１接続部１７の下方にコンバータ２０が位置するように配置されている。
また、電子基板２２の裏側に第１接続部１７が設けてあり、電子基板２２の表側に第２接続部２１が設けてある。
このような部品配置にすることで、通信ユニットＹにおける情報コンセント２の奥行き方向の寸法を極力少なくすることが可能となる。
【００３９】
また、第１接続部１７は、通信ケーブル８のコネクタ８ａを差し込む接続開口部１７ａを備えて構成してあり、上述の裏側分割ケーシング１１Ｂの傾斜壁部１５ａに形成された窓部１６に臨ませて配置されている。即ち、ユニット本体１０の裏側で且つ外周側に開口する状態に配置されている。
また、接続開口部１７ａへのコネクタ８ａの差し込み方向は、表面板２Ｂに対して傾斜する方向（後方側からユニット本体１０の中央側に向かう方向、即ち、前方下方に向かう方向）に設定してある。
従って、コネクタ８ａから後方に延びる通信ケーブル８は、コンセントボックス２Ａの上端の入り隅に確保された広い空間に、緩やかにカーブする状態に配置でき、通信ケーブルやコネクタ８ａや第１接続部１７に外力の負荷が作用するのを防止して、良好な配線状態を維持することができる。
【００４０】
本実施形態の通信ユニットＹによれば、電源接続部１８に、隣接の電源コンセントユニット４の分岐端子から引いた電源線２３を接続し（図４参照）、第１接続部１７に通信ケーブル８のコネクタ８ａを接続した状態に、情報コンセント２に埋設するだけで、当該通信ユニットＹを介した情報コンセント外部の情報端末装置（例えば、スマートフォンやパーソナルコンピュータ等）による無線ＬＡＮ接続や、有線ＬＡＮ接続が同時に可能となる。
また、通信ユニットＹの薄型化によって、情報コンセント２内に無理なく埋設することが可能となり、更には、表面側への突出量を従来に比べて大きく減少させることが実現し、意匠性、取扱性が共に向上するようになった。
また、高速の有線ＬＡＮ接続に対応できるように通信ユニットＹを構成しても、部品の縮小化と共に各部品配置の工夫によって省スペース化が図れるようになり、情報コンセント２の限られたスペース内に設置することができ、高速通信に対応することが可能となった。
【００４１】
〔別実施形態〕
以下に他の実施の形態を説明する。
【００４２】
〈１〉  当該通信ユニットＹを設置する情報コンセント２は、先の実施形態で説明した壁を設置対象部１とするものに限るものではなく、例えば、柱や梁や床等を設置対象部１とするものであってもよい。従って、表面板２Ｂは、必ずしも縦面となっていることに限らない。
また、情報コンセント２に備える各種ユニットは、当該通信ユニットＹの他に、先の実施形態で説明した電源コンセントユニット４、電話接続ユニット５、同軸ケーブル接続ユニット６の全てに限るものではなく、例えば、通信ユニットＹのみ、又は、通信ユニットＹにその他の何れか単数または複数を備えたもの等であってもよい。
〈２〉  当該通信ユニットＹの第１接続部１７は、先の実施形態で説明したコネクタ８ａを先端に備えた通信ケーブル８を接続するものに限るものではなく、例えば、コネクタ８ａに替えて複数の端子を先端にそれぞれ備えた通信ケーブル８を接続するものであってもよい。
〈３〉  当該通信ユニットＹにおける第１接続部１７の配置は、先の実施形態で説明したように裏側で且つ上端側（外周側）に接続開口部１７ａが開口する配置に限るものではなく、例えば、裏側で且つ下端側（外周側）であってもよい。
更には、第１接続部１７は、通信ユニットＹの裏側、又は、外周側の何れかに開口する配置に設けてあってもよい。
〈４〉  当該通信ユニットＹにおける第１接続部１７とコンバータ２０との配置は、先の実施形態で説明したように、第１接続部１７の下方にコンバータ２０が位置する配置に限るものではなく、例えば、その逆であったり、第１接続部１７とコンバータ２０とが横方向に隣合う配置であってもよい。
また、第１接続部１７とコンバータ２０以外の部品の配置に関しては、変更することが可能である。
〈５〉  当該通信ユニットＹの外形は、先の実施形態で説明した形状に限るものではなく、例えば、膨出部１２は、先の実施形態で説明した緩やかな曲面部を備えた形状に限らず、図５に示すように、偏平面のみによって構成してあってもよい。この実施形態の場合、膨出部１２の裏面空間が先の実施形態のものに比べてより広くなるから、内空部に余裕を生み出すことができる。
【００４３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４４】
１      壁（設置対象部の一例）
２      情報コンセント
２Ｂ    表面板
８      通信ケーブル
１０    ユニット本体
１７    第１接続部
１７ａ  接続開口部
１８    電源接続部
１９    無線送受信部
２０    コンバータ
２１    第２接続部
２２    電子基板
【図１】
2013157738.tif 000003
【図２】
2013157738.tif 000004
【図３】
2013157738.tif 000005
【図４】
2013157738.tif 000006
【図５】
2013157738.tif 000007